(57)【要約】【課題】  全ての魚類に対して、発電所の取水口または放水路に近づく早期の段階で適切な忌避行動を促し、魚類の迷入を防止することを可能にする魚類迷入防止装置を提供する。【解決手段】  発電所の取水口または放水路への魚類の迷入を防止する魚類迷入防止装置１７において、取水口または放水路の手前に間隔を置いて配設されると共に水面下にかけて延びる複数の金属管１８と、それぞれの金属管１８に設けられ、金属管内を通って水中に懸垂させる金属鎖１９と、金属鎖１９の前記金属管から懸垂する部分に取り付けられる揺動可能な揺動部材２０と、金属管１８から懸垂している金属鎖１９を強制的に動かす駆動機構とを具備する。揺動部材２０は、金属色テープやパイプで構成してもよい。駆動機構の代わりに、金属鎖１９の金属管１８から懸垂する部分に駆動用のフィンを設けてもよい。【選択図】        図２
2005226321.tif 000002
【特許請求の範囲】
【請求項１】
発電所の取水口または放水路の近傍に設置され、前記取水口または前記放水路への魚類の迷入を防止する魚類迷入防止装置において、
前記取水口または前記放水路の手前に間隔を置いて配設されると共に水面下にかけて延設される複数の金属管と、
それぞれの金属管に設けられ、金属管内を通って水中に懸垂させる金属鎖と、
前記金属鎖の前記金属管から懸垂する部分に取り付けられる揺動可能な揺動部材と、
前記金属管から懸垂している金属鎖を強制的に動かす駆動機構と
を具備することを特徴とする魚類迷入防止装置。
【請求項２】
発電所の取水口または放水路の近傍に設置され、前記取水口または前記放水路への魚類の迷入を防止する魚類迷入防止装置において、
前記取水口または前記放水路の手前に間隔を置いて配設されると共に水面下にかけて延設される複数の金属管と、
それぞれの金属管に設けられ、金属管内を通って水中に懸垂させる金属鎖と、
前記金属鎖の前記金属管から懸垂する部分に取り付けられ、該金属鎖を動かすフィンと、
前記金属鎖の前記金属管から懸垂する部分に前記フィンとは別に取り付けられる揺動可能な揺動部材と
を具備することを特徴とする魚類迷入防止装置。
【請求項３】
前記揺動部材は、金属色テープであることを特徴とする請求項１又は２記載の魚類迷入防止装置。
【請求項４】
前記揺動部材は、近接して設けられた複数のパイプであることを特徴とする請求項１又は２記載の魚類迷入防止装置。
【請求項５】
前記金属鎖は、前記金属管の上端に当接可能に設けられる蓋体に取り付けられ、前記駆動機構は、前記金属鎖を前記蓋体と共に動かすものであることを特徴とする請求項１記載の魚類迷入防止装置。
【請求項６】
前記駆動機構は、前記蓋体に取り付けられたワイヤロープを駆動モータによって進退させ、前記金属管から懸垂する前記金属鎖を前記金属管の延設方向に変動させるものであることを特徴とする請求項５記載の魚類迷入防止装置。
【請求項７】
前記金属管は、取水口の手前を覆うように複数配設され、前記駆動機構によって強制的に動かされる金属鎖は、前記複数の金属管の一部に設けられる金属鎖であることを特徴とする請求項１記載の魚類迷入防止装置。
【請求項８】
前記金属管は、前記取水口の手前に設けられる網場に設けられることを特徴とする請求項１又は２記載の魚類迷入防止装置。
【請求項９】
前記取水口は魚道に隣接して設けられ、前記取水口の手前に設けられる複数の金属管は、金属色テープが前記揺動部材として取り付けられた金属鎖を有する金属管と、近接する複数のパイプが前記揺動部材として取り付けられた金属鎖を有する金属管とを混合して配置したものであり、前記魚道から遠ざかる側は前記魚道に近接する側よりも前記パイプが取り付けられた金属鎖を有する金属管の割合が多くなっていることを特徴とする請求項１又は２記載の魚類迷入防止装置。
【発明の詳細な説明】
【技術分野】
【０００１】
この発明は、水力発電所などの取水口または放水路へ魚類が迷入することを防止する魚類迷入防止装置に関する。
【背景技術】
【０００２】
水力発電所においては、ダムの堤体よりも上流側に設けられる貯水池などに開口された取水口から水を取り込み、取り込んだ水を流下させて水車を回転させ、これにより発電機を駆動させて電力を発生させるようにしており、使用した水を放水路から河川などへ放水するようにしている。取水源となる貯水地などには、降下した魚や魚道を介して遡上した魚など、多数の魚類が生息しており、これら生息している魚類が取水口に迷入すると、魚類を損傷したり、魚類の生育等に影響を与える可能性がある。また、放水路においても、鮎や鮭などの遡上する魚類が迷入し、同様の不都合が生じている。
【０００３】
このため、従来においては、取水口や放水路に対して魚類の迷入を防止する手段が講じられており、例えば、図８で示される浜原ダムの取水口においては、図９及び図１０に示されるような構成が採用されている。即ち、このダムは、図８に示されるように、堤体１００の上流側脇に貯水池３に臨む取水口１が設けられ、また、堤体１００をバイパスして貯水池側と下流側河川とを連通する階段式の魚道２が取水口１の下流側に隣接して設けられており、取水口１とこれに隣接する魚道２の開口部の手前には、図９に示されるように、流木などの塵芥の進入を阻止する網場１２，１３が設けられ、取水口１にあっては、図１０にも示されるように、中間ピア４の前方に鋼製のバーを所定の間隔で多数配して構成された除塵スクリーン５を全幅にわたって付設し、この除塵スクリーン５の直下流に、通電により魚を忌避させる電気スクリーン７と、回転可能な網状のスクリーンによって通路を塞ぎ、魚の迷入を物理的に阻止する回転スクリーン８とが全幅に対して半スパンづつ設けられている。電気スクリーン７は取水口１の上流側半スパンに設けられ、回転スクリーン８は取水口１の下流側半スパンに設けられており、電気スクリーン７によって忌避した魚を中間ピア４やサイドピア６の手前から魚道２に導き、或いは回転スクリーン８の手前でピアに設けられた開口部９から魚道へ導くようにしている。
【０００４】
また、魚類の取水口または放水路への迷入を防止する方法としては、取水口や放水路近傍に電極を設置し、この電極に電圧を印加して取水口または放水路に進入しようとする魚類に電気ショックを与え、これにより魚類の進入を防止する直流パルス発生装置（特許文献１参照）や、一方の岸側に、河川の長さ方向の所定区間において光を照射し、河川内の鮎を光に沿って一方の岸側へ誘導する方法なども考えられている（特許文献２）。
【０００５】
【特許文献１】特開平１１−３６２５７号公報
【特許文献２】特開平６−２９２４８６号公報
【発明の開示】
【発明が解決しようとする課題】
【０００６】
しかしながら、取水口１の流速は、最大取水時に０．８m/sec にも達するので、取水口１の電気スクリーンの手前に入り込んだ魚は、流れにのまれて忌避行動がとれず、電気スクリーン７を通過するものが多い。また、回転スクリーン８にあっては、魚類が通過できない程度の網状に形成されているので、短時間で塵芥により目詰まりを起こし、その都度回転スクリーンを開けると、魚類の侵入を避けることができなくなる不都合がある。
【０００７】
さらに、電気スクリーンの構成を特許文献１に示す構成に置き代えても、魚類が取水口の流れにのまれて電気スクリーンを通過する不都合は依然として生じるものであり、また、特許文献２の構成においては、遊泳力の弱い子鮎が光に反応して寄ってくる習性を利用するものであるが、鮎の成魚や他の魚類に対しての効果は定かでなく、取水口に迷入する魚類の数を減らすことは期待しにくい。
【０００８】
そこで、この発明においては、魚類の迷入防止用スクリーンを取水口内に設けたことに起因する従来の問題点に鑑みてなされたものであり、また、放水路においても取水口と同様に対応することが期待されることから、全ての魚類に対して、取水口または放水路に近づく早期の段階で魚類を忌避させ、取水口または放水路への魚類の迷入を効果的に防止することを可能にした魚類迷入防止装置を提供することを課題としている。
【課題を解決するための手段】
【０００９】
上記課題を達成するために、この発明に係る魚類迷入防止装置は、発電所の取水口または放水路の近傍に設置され、前記取水口または前記放水路への魚類の迷入を防止する装置に係り、前記取水口または前記放水路の手前に間隔を置いて配設されると共に水面下にかけて延びる複数の金属管と、それぞれの金属管に設けられ、金属管内を通って水中に懸垂させる金属鎖と、前記金属鎖の前記金属管から懸垂する部分に取り付けられる揺動可能な揺動部材と、前記金属管から懸垂している金属鎖を強制的に動かす駆動機構とを具備することを特徴としている（請求項１）。
【００１０】
したがって、このような構成によれば、取水口または放水路の手前で揺動部材を強制的に動かすことが可能になるので、金属管と金属鎖が接触する際に生じる金属音と揺動部材の動きとにより魚を脅すことが可能となり、取水口や放水路の手前の流速が遅い領域においても魚を忌避させることが可能となる。
【００１１】
また、上記課題を達成するために、この発明に係る他の魚類迷入防止装置は、発電所の取水口または放水路の近傍に設置され、前記取水口または前記放水路への魚類の迷入を防止する装置に係り、前記取水口または前記放水路の手前に間隔を置いて配設されると共に水面下にかけて延びる複数の金属管と、それぞれの金属管に設けられ、金属管内を通って水中に懸垂させる金属鎖と、前記金属鎖の前記金属管から懸垂する部分に取り付けられ、該金属鎖を動かすフィンと、前記金属鎖の前記金属管から懸垂する部分に前記フィンとは別に取り付けられる揺動可能な揺動部材とを具備するようにしてもよい（請求項２）。
【００１２】
このような構成によれば、金属鎖に取り付けられたフィンにより、水の流れによって金属鎖を動かすことが可能となり、この金属鎖に取り付けられる揺動部材を揺動させることが可能となる。よって、金属管と金属鎖とを接触する際に生じる金属音と揺動部材の動きとで魚を脅すことが可能となり、取水口や放水路の手前で魚類を忌避させることが可能となる。このような構成は、特に流速の速い領域において有効であり、また、揺動部材を揺動させる動力が不要になる利点がある。
【００１３】
揺動部材としては、魚脅しの効果が期待できる銀テープや蛍光テープ等から構成される金属色テープであっても、近接して設けられた複数のパイプであってもよい（請求項３、４）。前者の構成によれば、金属色テープの揺れや金属色テープによる光の散乱により視覚的に魚を脅す効果が大きく、また、後者の構成によれば、パイプが揺れてパイプ同士がぶつかり合う音を水中で発生させることができるので、パイプの動きによる視覚的な脅し効果のみならず聴覚的に脅す効果が大きい。これら揺動部材は、金属鎖の懸垂方向に所定の間隔で多数付設することが好ましい。
【００１４】
また、金属鎖は、金属管の上端に当接可能に設けられる蓋体に取り付けられ、駆動機構により金属鎖を蓋体と共に動かすようにしてもよい（請求項５）。このような構成によれば、蓋体の動きに伴い蓋体と金属管とがぶつかり合い、ここで発生した金属打音を金属管を介して水中に伝達することが可能となり、音による魚脅しの効果を高めることが可能となる。
【００１５】
ここで、駆動機構は、蓋体に取り付けられたワイヤロープを駆動モータによって進退させ、金属管から懸垂する金属鎖を金属管の延設方向に変動させるとよく（請求項６）、金属管を取水口の手前を覆うように複数配設する場合には、駆動力の低減を図るために、駆動機構によって動かされる金属鎖を、複数の金属管の一部に設けられる金属鎖としてもよい（請求項７）。
【００１６】
尚、上述した金属管は、取水口の手前の比較的流速が遅い箇所に設けられることが好ましく、例えば、取水口の手前に設けられる網場に設けるようにしてもよい（請求項８）。  
【００１７】
また、取水口が魚道に隣接して設けられる場合には、取水口の手前に設けられる複数の金属管を、金属色テープが揺動部材として取り付けられた金属鎖を有する金属管と、近接する複数のパイプが揺動部材として取り付けられた金属鎖を有する金属管とを混合して配置したものとし、魚道から遠ざかる側は魚道に近接する側よりも前記パイプが取り付けられた金属鎖を有する金属管の割合を多くするようにしてもよい（請求項９）。
【００１８】
魚道の近くでパイプの打音を発生させると、降下しようとする魚類が魚道へ近寄りにくくなるが、上述のような構成とすることで、取水口への迷入防止と魚道への魚類の誘導を効果的に行うことが可能となる。
【発明の効果】
【００１９】
以上述べたように、請求項１及び請求項２に係る発明によれば、揺動部材の動きと金属音とにより、取水口または放水路の手前で魚の忌避行動を促進することが可能となり、取水口または放水路に迷入する魚を激減させることが可能となる。
特に、請求項１の構成によれば、水流の遅い箇所でも駆動機構により金属鎖を強制的に動かし、駆動部材を揺動させることが可能となるので、取水口または放水路の手前の水流の緩やかな領域から魚を忌避させることが可能となり、より確実に魚類の迷入を防止することが可能となる。
【００２０】
請求項３に係る発明によれば、揺動部材として金属色テープが用いられるので、金属色テープの揺れや金属色テープによる光の散乱により視覚的に魚を脅して忌避行動を促す効果が大きく、請求項４に係る発明によれば、揺動部材として近接して設けた複数のパイプが用いられるので、パイプの動きに加えてパイプ同士がぶつかり合う音により、聴覚的に魚を忌避させる効果が大きくなる。
【００２１】
また、請求項５に係る発明によれば、金属鎖は、金属管の上端に当接可能に設けられる蓋体に取り付けられ、金属鎖を蓋体と共に駆動機構によって動かすようにしたので、蓋体の動きに伴う蓋体と金属管との衝突打音を金属管を介して水中に伝達することが可能となり、音による魚脅しの効果を一層高めることが可能となる。
【００２２】
請求項６に係る発明によれば、駆動機構が、蓋体に取り付けられたワイヤロープを駆動モータによって進退させ、金属管から懸垂する金属鎖を金属管の延設方向に変動させるようにしたので、駆動モータの速度や駆動期間を制御することで装置の自動制御化を図ることが可能となる。
【００２３】
請求項７に係る発明によれば、金属管を取水口の手前を覆うように複数配設される場合において、駆動機構によって強制的に駆動される金属鎖が、複数の金属管の一部の金属鎖とすることで、駆動機構の動力の低減を図ることが可能となる。
【００２４】
請求項８に係る発明によれば、金属管を取水口の手前に設けられる網場に設けらるようにしたので、既設の設備を利用して魚類迷入防止装置を設けることが可能となり、また、網場は比較的水流の遅い箇所に設けられているので、水流が遅いうちから魚を忌避させることが可能となる。
【００２５】
請求項９の構成によれば、取水口に隣接して設けられる魚道から遠ざかる側の金属管に揺動部材としてパイプが取り付けられた金属鎖を多く設け、魚道に近い側の金属管に揺動部材として金属色テープを取り付けた金属鎖を多く設けるようにしたので、取水口への魚類の迷入防止を図りつつ、魚類を魚道へ効果的に誘導することが可能となる。
【発明を実施するための最良の形態】
【００２６】
以下、この発明の最良の実施形態を添付図面を参照しながら説明する。
【００２７】
図１において、取水口１の拡大図が示され、この取水口１は、魚道２に対して上流側に隣接して設けられると共に貯水池３に臨むように設けられている。取水口１には、中間ピア４ａ，４ｂ，４ｃ，４ｄ，４ｅよりも前方に所定の間隔（例えば、０．７５ｍ）で鋼製のバーを多数配して構成される除塵スクリーン５が両側のサイドピア６ａ，６ｂ間の全幅にわたって設けられ、上流側の３門には除塵スクリーン５の直下流に通電により魚を忌避させる電気スクリーン７が配設され、下流側の３門には網状のスクリーンを回転させてピア間の水路を塞ぎ、魚類の迷入を物理的に阻止する回転スクリーン８が設けられている。
【００２８】
下流側の２つの中間ピア４ｄ，４ｅ及び下流側のサイドピア６ｂには、閉門位置にある回転スクリーン８より手前の部分に魚の往来を可能にする開口部９が設けられ、除塵スクリーン５と回転スクリーン８の間を魚道２に通じるようにしている。
【００２９】
取水口１とこれに隣接する魚道２の開口部との手前には、少なくとも、上流側のサイドピア６ａから貯水池側へ延びる上流側中間ビーム１０ａと下流側のサイドピア６ｂから貯水池側へ延びる下流側中間ビーム１０ｂとの間、及び、下流側中間ビーム１０ｂとこれに対峙する係留箇所１１との間に網場１２，１３が設けられ、流木などの塵芥が取水口１及び魚道２へ進入するのを阻止するようにしている。
【００３０】
この網場１２，１３は、図２に示されるように、鋼製のカゴ状ボックス１４にフロート１５を収容して構成されたそれ自体周知のもので、結束ロープ１６に連結され、水面の変動に応じて昇降するようなっている。
【００３１】
そして、取水口１の手前に設けられる網場１２の前面に魚類の迷入を取水口１の手前において防止する魚類迷入防止装置１７が設けられている。この魚類迷入防止装置１７は、図３にも示されているように、取水口１の手前に間隔を置いて配設された複数の金属管１８と、この金属管内を通って水中に懸垂させる金属鎖１９と、金属管１８から懸垂する金属鎖１９の部分に取り付けられる揺動可能な揺動部材２０とを有して構成されているもので、金属管１８は、網場１２の上下２箇所に溶接やブラケットなどの適当な手段によって固定され、水面よりも上方から水面下にかけて略鉛直方向に延びるように設けられている。
【００３２】
この例においては、取水口１の全幅（中間ビーム１０ａ，１０ｂ間の幅）は約３０ｍ、網場１２は合計１９ケ設けられており、金属管１８は、それぞれの網場１２に２本ずつ設けられ、約２ｍ間隔で計３８本設けられている。
【００３３】
それぞれの金属管１８を挿通する金属鎖１９は、金属管１８の上端開口部に着脱可能に遊嵌される金属製の蓋体２１に取り付けられている。この蓋体２１は、金属管１８の上端開口部の径よりも大きく形成された鍔部２１ａと、この鍔部２１ａから下方に延設された取付突起部２１ｂとを有して構成され、金属鎖１９の上端を取付突起部２１ｂに係留するようにしている。
【００３４】
揺動部材２０は、所定長に形成された銀テープや蛍光テープからなる金属色テープ２２で構成され、金属鎖１９に所定の間隔で取り付けられている。この例においては、金属管１８の長さを２．５ｍ、金属鎖の長さを７ｍ、金属色テープ２２を２ｍ未満の長さとし、１本の金属鎖１９に対して、下端近傍から１ｍ間隔で５つづつ設けられている。
【００３５】
そして、一部の金属管１８に設けられる金属鎖１９は、以下述べる駆動機構によって強制的に駆動されるようになっている。この駆動機構は、取水口１の上流側と下流側とに分けて設けられているもので、上流側の駆動機構は上流側の８ケの網場１２に亘って設けられ、下流側の駆動機構は下流側の８ケの網場に亘って設けられている。それぞれの駆動機構は、レイアウトが対称となる点を除いて同様の構成を有しているので、以下、図２に示す下流側の駆動機構について説明し、上流側の駆動機構については説明を省略する。
【００３６】
駆動機構は、網場１２の金属管１８が設けられた近傍に支柱２５を立設固定し、それぞれの支柱２５の上部に固定滑車２６を設け、ステンレス製のワイヤロープ２７を張設方向が網場１２の配列方向に沿うようそれぞれの固定滑車２６に掛かり付け、ワイヤロープ２７の一端をターンバックル２８を介して中間ビーム１０ｂに設置されたモータ２９で回転されるアーム２９ａの先端部に接続し、ワイヤロープ２７の他端を網場１２に支柱２５を介して取り付けられたスプリング３１に接続するようにしている。支柱２５は、全ての金属管１８に対して設けられているわけではなく、２つ置きに設けられ（３本に１本の割合で設けられ）ている。また、ワイヤロープ２７には、固定滑車２６によって張設方向が金属管１８に沿った方向に変えられて垂下するワイヤロープ３２の一端がそれぞれの固定滑車２６の近傍に溶着等によって固定され、このワイヤロープ３２の他端は蓋体２１の上部に固定されている。
【００３７】
したがって、モータ２９が駆動すると、アーム２９ａが回転し、ワイヤロープ２７が水平方向に進退し、この動きに伴ってワイヤロープ３２が上下動し、金属鎖１９が蓋体２１と共に上下動するようになっている。このため、蓋体２１の上下動により、蓋体２１が降下する際には鍔部２１ａが金属管１８の上端に当接するので金属打音が発生し、また、金属鎖１９の上下動により、金属鎖１９が金属管１８に擦れると共に金属鎖１９に取り付けられた金属色テープ２２が強制的に揺動され、金属擦音が発生すると共に金属色テープ２２により光が散乱し、聴覚的及び視覚的に魚を脅して取水口１に迷入しようとする魚を取水口１の手前で忌避させることが可能となる。
【００３８】
また、上述の構成においては、強制的に駆動させる金属鎖１９を全金属鎖の一部としたので、モータ２９の動力を小さくすることが可能となる。また、モータ２９の回転速度を調節することで、金属鎖１９の上下動する速度を調節することが可能となり、蓋体２１と金属管１８との打撃音の大きさを調節することが可能となる。さらに、モータ２９を駆動制御する制御装置にタイマ機能を持たせることで、鮎の降下が活発になるといわれる時間帯に合わせてモータ２９を稼動させ、揺動部材２０を強制的に動かして取水口１への迷入を阻止することが可能となる。
【００３９】
実際、このような魚類迷入防止装置１７を設置する前後で鮎の降下時期における取水口に迷入した鮎の数を観測したところ、本装置を設置する前にあっては迷入した鮎の数が２０００匹ほどであったが、本装置を設置した後には５０匹程度しか確認されなかった。
【００４０】
尚、上述の構成においては、動力を低減するために金属鎖１９を３本に１本の割合で駆動させたが、動かす金属鎖１９を多くしても、全ての金属鎖１９を強制的に動かすようにしてもよい。
【００４１】
また、金属鎖１９に設けられる揺動部材２０を、金属色テープ２２に代えて、図４に示されるように、近接して設けられた複数のパイプ３５で構成してもよい。例えば、金属鎖１９に金属リング３４を取り付け、この金属リング３４に２本の塩化ビニル製のパイプ３５を針金などを利用して揺動自由に取り付け、互いのパイプを不規則に動かしてぶつかり合うようにしてもよい。
【００４２】
このような構成によれば、金属鎖１９を強制的に上下動させることにより、パイプ３５が上下しながら強制的に揺動し、パイプ同士が互いにぶつかり合って打撃音を水中で発生させることが可能となる。このため、前述した蓋体２１と金属管１８との打撃音に加え、パイプ３５の打撃音が発生するので、より聴覚的に魚を脅して取水口１に迷入しようとする魚を取水口１の手前で忌避させることが可能となる。
【００４３】
さらに、他の実施形態として、取水口１の手前に設けられる複数の金属管３２を、金属色テープ２２が揺動部材２０として取り付けられた金属鎖を有する金属管と、近接する複数のパイプ３５が揺動部材２０として取り付けられた金属鎖を有する金属管とを混合して配設するようにしてもよい。例えば、図５に示されるように、魚道２から遠ざかる側において、近接する側よりもパイプが取り付けられた金属鎖を有する金属管の割合を大きくするようにしてもよい。
【００４４】
より具体的には、上流側から８本までの金属管１８に設けられる金属鎖１９に対しては、パイプ３５のみを取り付け（全てパイプ付きとし）、その下流側の１０本の金属管１８に設けられる金属鎖１９に対しては、金属色テープ２２が設けられる金属鎖とパイプ３５が設けられる金属鎖とを交互に配設し（１本置きにパイプ付きとし）、その下流側１０本の金属管１８に設けられる金属鎖１９に対しては、パイプ３５が設けられる金属鎖を２本置きとし（２本置きにパイプ付きとし）、残りの金属鎖１９に対しては、全て金属色テープ２２のみを取り付ける（全てパイプなしとする）。
【００４５】
このような構成によれば、パイプ３５の数が魚道２に向うにつれて少なくなるので、パイプ３５の打撃音が魚道２に近いほど小さくなり、魚道２の近くで大きな音を発生させて魚類が魚道２へ近寄りにくくなる不都合がなくなり、また、上流側ほど大きな音が発生するので、魚類を魚道２へ誘導させやすくなる。
【００４６】
以上の構成においては、図６に示されるように、金属鎖１９をモータ等を動力源とする駆動機構によって強制的に駆動させ、金属鎖１９に取り付けた揺動部材２０（金属色テープ２２、パイプ３５）を強制的に揺動させる構成であったが、このような駆動機構を用いず、図７に示されるように、金属鎖１９にフィン３６を取り付け、このフィン３６にかかる力を金属鎖１９に伝達することで金属鎖１９を動かすようにしてもよい。この例においては、フィン３６が金属鎖１９の先端部に取り付けられ、その上方に前述した金属色テープ２２、又は、塩化ビニル製のパイプ３５からなる揺動部材２０が所定の間隔で複数設けられている。尚、他の構成については、駆動源であるモータ２９やワイヤロープ２７，３２がない点を除いて前記構成例と同様であるので、同一箇所に同一番号を付して説明を省略する。
【００４７】
このような構成によれば、金属鎖１９に取り付けられたフィン３６により、水流によって金属鎖１９を動かし、この金属鎖１９に取り付けられる揺動部材２０を揺動させることが可能となるので、揺動部材を揺動させる動力源が不要になる利点がある。また、金属管１８と金属鎖１９とを接触させて金属音を発生させることも可能になるので、揺動部材２０の動きと金属音とで魚を脅し、取水口１に迷入しようとする魚を忌避させることが可能となる。
【００４８】
尚、以上の構成においては、取水口１の手前に魚類迷入防止装置１７を設ける例を示したが、図示しない放水路の手前に同様の装置を配設し、遡上する魚類の迷入を防止するようにしてもよい。また、上述の構成においては、取水口１の手前に設けられる網場１２に魚類迷入防止装置１７を設ける例を示したが、網場１２が設けられていない場合でも、取水口１の手前に同様の構成を付設することで、同様の作用効果を得ることが可能となる。
【図面の簡単な説明】
【００４９】
【図１】図１は、本発明に係る魚類迷入防止装置を取水口の手前に設けた構成例を示す平面図である。
【図２】図２は、図１に用いられる魚類迷入防止装置を正面から見た図である。
【図３】図３は、図２のＢ−Ｂ線で切断した断面を示す拡大図である。
【図４】図４は、揺動部材の他の実施形態を示す図３に対応した図である。
【図５】図５は、前述した本発明の他の構成例を示す魚類迷入防止装置を上方から見た図である。
【図６】図６は、本発明に係る魚類迷入防止装置の構成例を説明する概略図である。
【図７】図７は、本発明に係る魚類迷入防止装置の他の構成例を説明する概略図である。
【図８】図８は、ダムの付近を示す図である。
【図９】図９は、図８のダムの取水口と魚道の付近を示す拡大図である。
【図１０】図１０は、図９のＡ−Ａ線で切断した拡大断面図である。
【符号の説明】
【００５０】
１  取水口
１２  網場
１７  魚類迷入防止装置
１８  金属管
１９  金属鎖
２０  揺動部材
２２  金属色テープ
２７，３２  ワイヤロープ
３５  パイプ
３６  フィン
【図１】
2005226321.tif 000003
【図２】
2005226321.tif 000004
【図３】
2005226321.tif 000005
【図４】
2005226321.tif 000006
【図５】
2005226321.tif 000007
【図６】
2005226321.tif 000008
【図７】
2005226321.tif 000009
【図８】
2005226321.tif 000010
【図９】
2005226321.tif 000011
【図１０】
2005226321.tif 000012